【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
撮像光を光電変換したのちに画像データおよび該画像データの縮小画像データとして記録するデジタルカメラであって、
画像を表示する表示部と、
前記画像データおよび縮小画像データを記録する記録媒体と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを外部プリンタに出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを前記外部プリンタに一度に連続して直接出力させるための処理に移行する、デジタルカメラ。
【請求項２】
撮像光を光電変換したのちに画像データおよび該画像データの縮小画像データとして記録するデジタルカメラと、
外部プリンタと、
を備える印刷システムであって、
前記デジタルカメラは、
画像を表示する表示部と、
前記画像データおよび縮小画像データを記録する記録媒体と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを外部プリンタに出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを前記外部プリンタに一度に連続して直接出力させるための処理に移行する、印刷システム。
【請求項３】
画像出力システムであって、
撮像光を光電変換して作成された画像データおよび該画像データの縮小画像データを記録する記録媒体と、
画像を表示する表示部と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する、画像出力システム。
【請求項４】
画像出力方法であって、
撮像光を光電変換したのちに画像データおよび該画像データの縮小画像データとして記録媒体に記録するステップと、
表示部に画像を表示するステップと、
前記記録媒体から縮小画像データを読み出して複数の縮小画像を前記表示部に表示するとともに、所望の画像が選択されたときに前記記録媒体から選択された画像データを取得するステップと、
前記選択された画像の印刷枚数を指定するための出力方法指定画面を前記表示部に表示するステップと、
前記選択された画像データを出力する出力ステップと、
を備え、
前記出力ステップは、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する、画像出力方法。
【請求項５】
画像出力システムであって、
撮像光を光電変換して作成された画像データおよび該画像データの縮小画像データを記録する記録媒体と、
画像を表示する表示部と、
前記記録媒体から縮小画像データを順次読み出して前記表示部に画像を早送り表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する、画像出力システム。
【請求項６】
画像出力方法であって、
撮像光を光電変換したのちに画像データおよび該画像データの縮小画像データとして記録媒体に記録するステップと、
表示部に画像を表示するステップと、
前記記録媒体から縮小画像データを順次読み出して前記表示部に画像を早送り表示するとともに、所望の画像が選択されたときに前記記録媒体から選択された画像データを取得するステップと、
前記選択された画像の印刷枚数を指定するための出力方法指定画面を前記表示部に表示するステップと、
前記選択された画像データを出力する出力ステップと、
を備え、
前記出力ステップは、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する、画像出力方法。
【手続補正２】
【補正対象書類名】明細書
【補正対象項目名】００１６
【補正方法】変更
【補正の内容】
【００１６】
本発明のデジタルカメラは、撮像光を光電変換したのちに画像データおよび該画像データの縮小画像データとして記録するデジタルカメラであって、
画像を表示する表示部と、
前記画像データおよび縮小画像データを記録する記録媒体と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを外部プリンタに出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを前記外部プリンタに一度に連続して直接出力させるための処理に移行する。
【手続補正３】
【補正対象書類名】明細書
【補正対象項目名】００１７
【補正方法】変更
【補正の内容】
【００１７】
このデジタルカメラでは、複数の画像について印刷枚数をそれぞれ指定した後に、まとめて外部プリンタに画像データを出力することができる。
【手続補正４】
【補正対象書類名】明細書
【補正対象項目名】００１８
【補正方法】変更
【補正の内容】
【００１８】
本発明による印刷システムは、撮像光を光電変換したのちに画像データおよび該画像データの縮小画像データとして記録するデジタルカメラと、
外部プリンタと、
を備える印刷システムであって、
前記デジタルカメラは、
画像を表示する表示部と、
前記画像データおよび縮小画像データを記録する記録媒体と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを外部プリンタに出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを前記外部プリンタに一度に連続して直接出力させるための処理に移行する。
【手続補正５】
【補正対象書類名】明細書
【補正対象項目名】００１９
【補正方法】変更
【補正の内容】
【００１９】
本発明による画像出力システムは、
撮像光を光電変換して作成された画像データおよび該画像データの縮小画像データを記録する記録媒体と、
画像を表示する表示部と、
前記記録媒体から複数の縮小画像データを読み出して複数の縮小画像を前記表示部に表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する。
【手続補正６】
【補正対象書類名】明細書
【補正対象項目名】００２０
【補正方法】変更
【補正の内容】
【００２０】
本発明による他の画像出力システムは、
撮像光を光電変換して作成された画像データおよび該画像データの縮小画像データを記録する記録媒体と、
画像を表示する表示部と、
前記記録媒体から縮小画像データを順次読み出して前記表示部に画像を早送り表示するとともに、所望の画像が選択されたときに前記記録媒体から選択された画像データを取得する画像データ選択手段と、
前記選択された画像の印刷枚数を指定するための出力方法指定画面を前記表示部に表示する出力方法指定画面表示手段と、
前記選択された画像データを出力する出力手段と、
を備え、
前記出力手段は、前記画像データ選択手段による画像の選択と前記出力方法指定画面表示手段を用いた印刷枚数の指定と前記選択された画像に対応付けた印刷枚数の格納とが複数回繰り返して行われた後に、次の候補画像がないことを判断すると複数の画像データを一度に連続して直接出力させるための処理に移行する。
【手続補正７】
【補正対象書類名】明細書
【補正対象項目名】００９９
【補正方法】削除
【補正の内容】